(57)【要約】【課題】  放電針ユニットを本体にワンタッチで装着しながら、放電針ユニットが不用意に前方に飛び出してしまうことを防止できる除電装置を提供する。【解決手段】  放電針ユニット４２を首振りユニット１２の軸体部１８に挿入した状態では、放電針ユニット４２に設けられたボス４７が軸体部１８に形成された溝部４４の第３溝部４４ｃの終端部に位置する。放電針３２のメンテナンス作業を行うために、放電針ユニット４２を固定するための対向電極を軸体部１８から取外すと、放電針ユニット４２が空気圧に押されて前方に飛び出そうとする。このとき、ボス４７が第３溝部４４ｃの終端部から始端部に移動して停止するので、放電針ユニット４２が不用意に飛び出してしまうことを防止できる。また、ボス４７が第３溝部４４ｃの始端部に位置した状態では、軸体部１８に供給される空気が第３溝部４４ｃから外部に逃げるので、放電針ユニット４２安全に取外すことができる。【選択図】  図４
2006100248.tif 000002
【特許請求の範囲】
【請求項１】
放電針と当該放電針を保持するホルダとからなる放電針ユニットと、
この放電針ユニットが挿入される挿入空間部を有した取付体と、
外部からの空気を受け、前記取付体の前記挿入空間部を通じて前記放電針の近傍付近に空気を供給する空気供給手段と、
前記取付体に装着され、その装着状態で前記挿入空間部に挿入された前記放電針ユニットを位置決め状態で固定する固定手段とを備え、
前記放電針への電圧印加状態でコロナ放電により生じたイオンを前記空気供給手段によって供給される空気に乗せて除電対象物へ向けて放出する除電装置において、
前記取付体の前記挿入空間部に挿入された前記放電針ユニットの取外し方向への移動を規制すると共に、前記放電針ユニットに対して解除操作が行われたときはその規制を解除する規制手段を備えたことを特徴とする除電装置。
【請求項２】
前記放電針ユニットが前記取付体の前記挿入空間部に挿入された状態で前記放電針ユニットと前記挿入空間部との間を気密に閉鎖する気密手段を備え、
前記規制手段は、
前記取付体の前端部から前記放電針ユニットの挿入方向に延びる第１溝部と、この第１溝部の終端部と連結し前記第１溝部と直交する方向に延びる第２溝部と、この第２溝部の終端部と連結し前記放電針ユニットの挿入方向に延びる第３溝部とを有したクランク状の溝部と、
前記放電針ユニットの前記ホルダに外方に突出して設けられ、前記放電針ユニットが前記取付体の前記挿入空間部に位置した状態で前記溝部に位置する凸部とから構成され、
前記放電針ユニットの前記凸部が前記第３溝部の終端部に位置した状態では、前記気密手段は前記第３溝部から外れて位置し、前記凸部が前記第３溝部の始端部に位置した状態では、前記気密手段は前記第３溝部の終端部より始端部側に位置して前記挿入空間部と外部とを前記第３溝部を通じて連通することを特徴とする請求項１記載の除電装置。
【請求項３】
前記放電針ユニットは摘み部を備え、
前記摘み部は、前記放電針ユニットが前記取付体の前記挿入空間部に位置決めされた状態で前記取付体の前方に突出して位置することを特徴とする請求項１または２記載の除電装置。
【請求項４】
前記取付体と前記固定手段との間には空気通路が形成され、
前記ホルダには、前記挿入空間部を介して前記放電針近傍へ空気を供給する第１空気供給孔と、前記空気通路と連通し、その空気通路から得られる空気を前記放電針近傍へ供給する第２空気供給孔とが設けられていることを特徴とする請求項１ないし３何れかに記載の除電装置。
【請求項５】
前記固定手段は、対向電極であることを特徴とする請求項１ないし４の何れかに記載の除電装置。
【発明の詳細な説明】
【技術分野】
【０００１】
本発明は、放電針への電圧印加状態でコロナ放電により生じたイオンを空気供給手段によって供給される空気に乗せて除電対象物へ向けて放出する除電装置に関する。
【背景技術】
【０００２】
高周波の除電装置のイオン吹出口の構造としては、図８に示すように放電針１０１を本体１０２に螺着すると共に、対向電極１０３を本体１０２に螺着するのが一般的である（特許文献１参照）。
【特許文献１】特開２００４−７９５５３号公報
【発明の開示】
【発明が解決しようとする課題】
【０００３】
しかしながら、上述した構成のものでは、放電針１０１のメンテナンス作業を行うには、対向電極１０３を本体１０２から螺脱してから、放電針１０１を本体１０２から螺脱する必要があり、設置環境での作業性が極めて悪い。
【０００４】
そこで、放電針ユニットを本体にワンタッチで装着し、対向電極を本体に螺着する際に放電針ユニットを対向電極で押さえて位置決めすることが考えられるものの、放電針ユニットには比較的大きな空気圧が印加されるという事情から、対向電極を本体から螺脱した際に、放電針ユニットが前方に飛び出す虞がある。
【０００５】
本発明は上記事情に鑑みてなされたもので、その目的は、放電針ユニットを本体にワンタッチで装着しながら、放電針ユニットが不用意に前方に飛び出してしまうことを防止できる除電装置を提供することにある。
【課題を解決するための手段】
【０００６】
本発明は、放電針と当該放電針を保持するホルダとからなる放電針ユニットと、この放電針ユニットが挿入される挿入空間部を有した取付体と、外部からの空気を受け、前記取付体の前記挿入空間部を通じて前記放電針の近傍付近に空気を供給する空気供給手段と、前記取付体に装着され、その装着状態で前記挿入空間部に挿入された前記放電針ユニットを位置決め状態で固定する固定手段とを備え、前記放電針への電圧印加状態でコロナ放電により生じたイオンを前記空気供給手段によって供給される空気に乗せて除電対象物へ向けて放出する除電装置において、前記取付体の前記挿入空間部に挿入された前記放電針ユニットの取外し方向への移動を規制すると共に、前記放電針ユニットに対して解除操作が行われたときはその規制を解除する規制手段を設けたものである（請求項１）。
【０００７】
上記構成において、前記放電針ユニットが前記取付体の前記挿入空間部に挿入された状態で前記放電針ユニットと前記挿入空間部との間を気密に閉鎖する気密手段を備え、前記規制手段は、前記取付体の前端部から前記放電針ユニットの挿入方向に延びる第１溝部と、この第１溝部の終端部と連結し前記第１溝部と直交する方向に延びる第２溝部と、この第２溝部の終端部と連結し前記放電針ユニットの挿入方向に延びる第３溝部とを有したクランク状の溝部と、前記放電針ユニットの前記ホルダに外方に突出して設けられ、前記放電針ユニットが前記取付体の前記挿入空間部に位置した状態で前記溝部に位置する凸部とから構成され、前記放電針ユニットの前記凸部が前記第３溝部の終端部に位置した状態では、前記気密手段は前記第３溝部から外れて位置し、前記凸部が前記第３溝部の始端部に位置した状態では、前記気密手段は前記第３溝部の終端部より始端部側に位置して前記挿入空間部と外部とを前記第３溝部を通じて連通するようにしてもよい（請求項２）。
【０００８】
また、前記放電針ユニットは摘み部を備え、前記摘み部は、前記放電針ユニットが前記取付体の前記挿入空間部に位置決めされた状態で前記取付体の前方に突出して位置するようにしてもよい（請求項３）。
【０００９】
また、前記取付体と前記固定手段との間には空気通路が形成され、前記ホルダには、前記挿入空間部を介して前記放電針近傍へ空気を供給する第１空気供給孔と、前記空気通路と連通し、その空気通路から得られる空気を前記放電針近傍へ供給する第２空気供給孔とが設けられているようにしてもよい（請求項４）。
また、前記固定手段は、対向電極であるのが望ましい（請求項５）。
【発明の効果】
【００１０】
放電針ユニットを取付体の挿入空間部に挿入した状態で固定手段を取付体に装着すると、放電針ユニットは取付体に位置決め状態で固定される。この状態で空気供給手段から空気を供給すると、挿入空間部を通じて放電針の近傍付近に空気が供給され、放電針の放電により生じたイオンが空気に乗せて除電対象物に放出されるので、除電対象物を除電することができる。
【００１１】
ここで、放電針のメンテナンス作業のために固定手段を取付体から取外すと、取付体の挿入空間部に挿入されている放電針ユニットが空気供給手段からの空気圧に押されて前方に飛び出そうとするものの、請求項１の発明によれば、規制手段が放電針ユニットの取外し方向への移動を規制するので、放電針ユニットが不用意に前方に飛び出してしまうことを防止できる。また、放電針ユニットに対して解除操作を行うことにより、規制手段による規制を解除することができるので、放電針ユニットを取付体から取外すことができる。
【００１２】
請求項２の発明によれば、放電針ユニットが取付体の挿入空間部に位置決めされた状態では、放電針ユニットの凸部は溝部の第３溝部の終端部に位置しているので、放電針ユニットが空気供給手段からの空気に押されて前方に飛び出すと、ボスが第３溝部の終端部から始端部に位置して停止する。これにより、放電針ユニットが不用意に飛び出してしまうことを防止できる。
【００１３】
このとき、放電針ユニットに装着された気密手段が第３溝部に位置する。すると、取付体の挿入空間部が第３溝部を通じて外部に連通し、挿入空間部の供給されている空気が外部に逃げるようになるので、放電針ユニットに印加する空気圧を大幅に低減することができる。これにより、放電針ユニットのボスを第１溝部に位置するにしても、放電針ユニットが前方に飛び出すことはないので、放電針ユニットを安全に取り外すことができる。
【００１４】
請求項３の発明によれば、放電針ユニットを取付体から取外すには、取付体の前方に突出して位置する摘み部を摘んで行うことができるので、取外し作業を容易に行うことができる。
請求項４の発明によれば、空気供給手段からの空気が第１空気供給孔を通じて放電針の先端近傍に供給されると、取付体と固定手段との間に形成された空気通路を通じて外部からの流入する空気流が発生するようになるので、除電対象物に吹き付ける空気の送風量の増大を図ることができる。
請求項５の発明によれば、固定手段を対向電極と兼ねることができるので、構成を簡単化することができる。
【発明を実施するための最良の形態】
【００１５】
以下、本発明の一実施例について図１ないし図７を参照して説明する。
図２は、除電装置全体の斜視図である。この図２において、除電装置１は、本体部２に２個のヘッドユニット３を設けて構成されており、それらのヘッドユニット３からイオンを含んだ空気流が前方に吹出されるようになっている。
本体部２は、本体ケース４に空圧部を組み付けて構成されており、その空圧部について説明する。尚、本体ケース４の表面は金属メッキが施されており、電源の０Ｖが接続されてシールド機能を発揮するように構成されている。
【００１６】
図１は、空圧部の横断面を示している。この図１において、メイン基板６には、高圧発生部をなす２個の昇圧トランス７（図では１方のみを図示）が搭載されており、その昇圧トランスにその昇圧トランスに図示しない外部結線コネクタを介して給電ラインを接続することにより給電されるようになっている。この場合、２個の昇圧トランス７及び２個の外部結線コネクタは２個のヘッドユニット３に対応するもので、外部結線コネクタ８への給電状態で対応するヘッドユニット３からイオンを含んだ空気流が放出されようになっている。
【００１７】
空圧部（空気供給手段に相当）１０は、中継ユニット１１の両端に、首振りユニット（取付体に相当）１２、電極１３、導入ユニット１４、ワンタッチ継手１５を連結して構成されている（但し、ワンタッチ継手１５は一方のみ）。ワンタッチ継手１５を除く部品には、空圧部１０内部に空気通路を形成すべく内部に組付け方向に沿って貫通孔（各符号にａを付加して示す）が形成されている。尚、図１では、中継ユニット１１の片側に接続された首振りユニット１２、電極１３、導入ユニット１４のみを図示している。
【００１８】
詳述すると、中継ユニット１１の両端には、首振りユニット１２の一端がＯリング１７による気密状態で挿入されている。
首振りユニット１２には、組付け方向と直交する方向に中空状の軸体部１８が突出形成されており、その軸体部１８の外面にオネジ部が形成されている。この軸体部１８の内周部は、首振りユニット１２の貫通孔１２ａと連通している。首振りユニット１２の他端には電極１３がＯリング１９による気密状態で挿入されている。この場合、首振りユニット１２の端部には六角形状の段部２０が形成されていると共に、電極１３の略中心にはナット部２１が形成されており、電極１３の一端が首振りユニット１２に挿入された状態では電極１３のナット部２１が首振りユニット１２の段部２０に嵌合することにより首振りユニット１２と電極１３とが回り止め状態で一体化されている。
【００１９】
導入ユニット１４には、電極１３の他端がＯリング１７による気密状態で挿入されている。ここで、図１に示されている一方の導入ユニット１４に関しては、他端にワンタッチ継手１５が装着されて空圧部１０への空気流入部として機能する。また、図示しない他方の導入ユニット１４に関しては、他端に図示しない蓋部が装着されて空圧部１０の閉鎖末端部として機能する。尚、他方の導入ユニット１４は、蓋部の代わりに図示しない連結部を接続することにより、他の空圧部１０との連結手段として機能させることも可能である。
以上のような構成により、一体化された首振りユニット１２及び電極１３の両端は、中継ユニット１１及び導入ユニット１４に回動可能に支持された形態に構成されている。
上記構成の空圧部１０は、本体ケース４に組み付けられて本体部２を構成している。
【００２０】
一方、空圧部１０の中継ユニット１１には図示しない表示・圧力素子基板がネジ止めされている。この表示・圧力素子基板には電源表示灯、除電表示灯、エラー表示灯、圧力異常灯などからなる表示部が搭載されていると共に、その裏面には圧力素子が搭載されており、表示・圧力素子基板が中継ユニット１１に取付けられた状態では、圧力素子は、空圧部１０内の圧力を検出する。表示・圧力素子基板は、メイン基板６と図示しないリード線で接続され、その接続状態で表示部及び圧力素子が動作可能となる。
【００２１】
本体ケース４は、下ケース２６と上ケース２７（図２参照）とからなり、下ケース２６に上記構成の空圧部１０を位置決めした状態で、下ケース２６の下方から空圧部１０の中継ユニット１１がネジ止めされている。昇圧トランス７の出力端子には電極バネ２８の基端部がはんだ付けされ、その先端部が空圧部１０の電極１３の外周面に接触することにより昇圧トランス７が電極１３に導通している（図３参照）。
下ケース２６に上ケース２７が抜け止め状態でワンタッチに取付けられ、これにより、基板部５及び空圧部１０の導入ユニット１４が下ケース２６と上ケース２７に挟持されて固定される。
【００２２】
ここで、下ケース２６と上ケース２７からなる本体ケース４の前面には２箇所の窓部２９（図２参照）が形成されており、その窓部２９から空圧部１０における首振りユニット１２の軸体部１８が突出する。この窓部２９は、首振りユニット１２の回動範囲に合わせて形成されている。
【００２３】
上記構成の空圧部１０における首振りユニット１２の軸体部１８にヘッドユニット３が装着されている。また、図２に示すように本体部２の窓部２９の周縁には金属製の角度指標部３０が装着されている。この角度指標部３０には角度を概略的に示す指標が形成されている（図４参照）。
【００２４】
図１に戻って、ヘッドユニット３において、ホルダ３１に放電針３２が圧入されており、その放電針３２に圧縮コイルバネ３３が巻装されると共にＯリング（気密手段に相当）３４が装着された状態で気密に首振りユニット１２の軸体部１８に挿入されている。円筒形状の対向電極（固定手段に相当）３５は、内部に円筒形状の絶縁用のテフロン（登録商標）チューブ３６が挿入された状態で首振りユニット１２の軸体部１８に螺着されている。
【００２５】
以上のような構成により、首振りユニット１２にヘッドユニット３が装着されている。
首振りユニット１２に挿入された電極１３の外面の所定部位には座グリ部３７が形成されており、その座グリ部３７に導電性の圧縮コイルバネ３３の一端が当接している。この圧縮コイルバネ３３は、電極１３とホルダ３１ひいては放電針３２との間の導通を図るためのものである。
【００２６】
ここで、圧縮コイルバネ３３の自由長の長さ寸法は、ホルダ３１と電極１３との間の寸法、特に組み立て時の位置ズレを見込んだ最大見込み寸法を十分に上回った寸法に設定されており、これにより、圧縮コイルバネ３３が電極１３及びホルダ３１に押圧状態で接触している。
【００２７】
一方、空圧部１０には、導入ユニット１４から首振りユニット１２、中継ユニット１１を通じて反対側に位置する首振りユニット１２、導入ユニット１４まで連通する空気通路が各貫通孔１４ａ，１２ａ，１１ａにより形成されていると共に、首振りユニット１２においてヘッドユニット３側に分岐する空気通路３８が形成されている。ヘッドユニット３を構成するホルダ３１において放電針３２を囲繞する部位には複数の第１空気供給孔３９が形成されており、その第１空気供給孔３９が対向電極３５内に形成されたイオン生成室４０と連通している。この場合、イオン生成室４０においてテフロンチューブ３６で囲繞された部位に、ホルダ３１に固定された放電針３２の先端部が位置している。また、対向電極３５の開口部が空気放出口４１として機能し、その空気放出口４１がイオン生成室４０と連通している。
また、メイン基板６の昇圧トランス７は、電極バネ２８、電極１３、圧縮コイルバネ３３、ホルダ３１を通じた導通路により放電針３２に導通している。
【００２８】
次に、上述した放電針３２とホルダ３１とからなる放電針ユニット４２と、首振りユニット１２の構造について詳述する。
図４は、放電針ユニット４２が装着された首振りユニット１２を示す斜視図、図５は、放電針ユニット４２を取外して示す首振りユニット１２の斜視図である。これらの図４及び図５において、首振りユニット１２の軸体部１８の内周には挿入空間部４３が形成されていると共に、その挿入空間部４３を囲繞する部位には軸体部１８の中心軸を中心とする２本の溝部（規制手段に相当）４４と２本のスリット部４５とがそれぞれ対向して形成されている。２本の溝部４４は、軸体部１８の前端部から放電針ユニット４２の挿入方向に延びる第１溝部４４ａと、この第１溝部４４ａの終端部と連結し当該第１溝部４４ａと直交する方向に延びる第２溝部４４ｂと、この第２溝部４４ｂの終端部と連結し放電針ユニット４２の挿入方向に延びる第３溝部４４ｃを有したクランク状に形成されている。また、スリット部４５は、軸体部１８の前端部から放電針ユニット４２の挿入方向に延びるように形成されており、その終端部の位置は第３溝部４４ｃの終端部の位置と一致している。この場合、軸体部１８において溝部４４及びスリット部４５の形成部位には平坦面部４６が形成されており、その表面が平坦形状をなしている。
【００２９】
放電針ユニット４２のホルダ３１の外周面にはボス（凸部、規制手段に相当）４７が突出形成されており、放電針ユニット４２が軸体部１８に挿入された状態では、ボス４７が溝部４４に位置する。
尚、首振りユニット１２には指針部４８が突出形成されており、その指針部４８が示す角度指標部３０の指標の位置に基づいて首振りユニット１２の概略的な角度を確認することができる。
【００３０】
図４に示すように放電針ユニット４２が首振りユニット１２の軸体部１８の挿入空間部４３に完全に挿入された状態では、放電針ユニット４２に装着されたＯリング３４は第３溝部４４ｃの終端部及びスリット部４５の終端部よりも奥方に位置しており、Ｏリング３４により挿入空間部４３と外部との間の気密が図られている。
【００３１】
一方、放電針ユニット４２のホルダ３１の先端にはフランジ状の摘み部４９が一体に形成されている。この摘み部４９は、後述するように放電針３２のメンテナンス作業時に放電針ユニット４２を摘むための部位であり、図４に示すように放電針ユニット４２が首振りユニット１２の軸体部１８に挿入された状態で当該軸体部１８の前方に位置している。この摘み部４９は、ホルダ３１から前方に突出する放電針３２の先端部の保護の機能も兼ねている。摘み部４９においてホルダ３１との接続部位には複数の第２空気供給孔５０が形成されており、放電針ユニット４２が首振りユニット１２の軸体部１８に挿入された状態で、ホルダ３１に形成された第１空気供給孔３９と第２空気供給孔５０とが径方向に並んだ位置関係となる。
【００３２】
次に、上記構成の作用について説明する。
ワンタッチ継手１５に図示しない空気チューブを接続して空気を供給すると、空圧部１０に空気が供給される。この空気は、空圧部１０の内部を通過してヘッドユニット３に供給される。このとき、ヘッドユニット３を構成するホルダ３１には、放電針３２を囲繞するように第１空気供給孔３９が形成されているので、放電針３２に沿って流れる空気流が発生する。
【００３３】
一方、図示しない外部結線コネクタに電源ラインを接続して給電すると、メイン基板６の昇圧トランス７で交流の高電圧が発生し、電極バネ２８、電極１３、圧縮コイルバネ３３、ホルダ３１を通じて放電針３２に給電される。これにより、放電針３２の先端部でコロナ放電が発生し、給電される電圧の正負に応じて放電針３２の先端部の周囲に＋イオン、−イオンが交互に発生するようになる。ここで、放電針３２に沿って空気流が発生しているので、放電針３２で発生したイオンは、空気流に乗ってヘッドユニット３の空気放出口４１から前方に放出される。この場合、ヘッドユニット３の空気放出口４１は、放電針３２の針先方向と同方向に開口しているので、イオンを含んだ空気流は空気放出口４１から円滑に前方に吹出される。
【００３４】
この場合、首振りユニット１２の軸体部１８において溝部４４及びスリット部４５の形成部位には平坦面部４６が形成されていることから、軸体部１８に対向電極３５が螺着された状態では、軸体部１８の外周面と対向電極３５の内周面との間に図示しない空気通路が形成されている。従って、上述のように第１空気供給孔３９から放電針３２の先端近傍に送風されると、図６に示すように軸体部１８の外周面を通じて外部から第２空気供給孔５０を通じて放電針ユニット４２内に流入する空気流が発生するようになるので、全体として除電対象物に吹き付ける空気の送風量の増大を図ることができる。この場合、第１空気供給孔３９及び第２空気供給孔５０は径方向に並んで配置されているので、第１空気供給孔３９を通じて送風される空気に伴って第２空気供給孔５０を通じて流入する空気流を効果的に発生させることができる。
【００３５】
そして、イオンを含んだ空気流が除電対象物に吹付けられると、除電対象物の帯電極性の反対極性のイオンが除電対象物に引き付けられて中和される。これにより、除電対象物を除電することができる。
【００３６】
尚、一方のヘッドユニット３のみを動作させたい場合は、メイン基板６に搭載された対応する外部結線コネクタのみに給電し、両方のヘッドユニット３を動作させたい場合は、両方の外部結線コネクタに給電することにより、除電対象物の位置或いは大きさに応じて適切に除電することができる。
【００３７】
さて、放電針３２をメンテナンス作業する場合は、対向電極３５を首振りユニット１２の軸体部１８から螺脱する。このとき、放電針ユニット４２にはＯリング３４が装着されており、挿入空間部４３との気密が図られていることから、第１空気供給孔３９を空気が通過するにしても、放電針ユニット４２には大きな空気圧が印加される。このため、放電針ユニット４２が空気圧に押されて前方に飛び出ようとする。
【００３８】
ここで、放電針ユニット４２のボス４７は、図４に示すように軸体部１８に形成された第３溝部４４ｃの終端部に位置しているので、放電針ユニット４２が前方に飛び出ようとするにしても、第３溝部４４ｃの始端部に位置したところで停止し、それ以上の前方への移動が規制される。
【００３９】
一方、放電針ユニット４２のボス４７が第３溝部４４ｃの始端部に位置すると、図７に示すように放電針ユニット４２に装着されたＯリング３４が第３溝部４４ｃ及びスリット部４５に位置するようになる。これにより、挿入空間部４３が第３溝部４４ｃ及びスリット部４５を通じて外部と連通し、挿入空間部４３に供給されている空気が外部に逃がるようになるので、放電針ユニット４２に印加する空気圧を大幅に低減することができる。
【００４０】
従って、放電針ユニット４２の摘み部４９を掴んで回転してボス４７を第２溝部４４ｂの終端部から始端部に位置させてから前方に引き抜くことにより、放電針ユニット４２を首振りユニット１２から安全に取外すことができる。
【００４１】
このような実施例によれば、放電針ユニット４２を首振りユニット１２の軸体部１８の挿入空間部４３にワンタッチで気密に挿入する構成において、放電針ユニット４２が挿入空間部４３に挿入された状態では、放電針ユニット４２のボス４７を軸体部１８の第３溝部４４ｃの終端部に位置させ、対向電極３５が軸体部１８から取外されることにより放電針ユニット４２が空気圧に押されて前方に飛び出そうとするにしても、第３溝部４４ｃの始端部で停止するようにしたので、放電針ユニット４２を首振りユニット１２にワンタッチで装着する構成を採用しながら、放電針ユニット４２が不用意に前方に飛び出してしまうことを防止できる。
【００４２】
しかも、放電針ユニット４２が第３溝部４４ｃの始端部で停止した状態では、放電針ユニット４２に装着されたＯリング３４が軸体部１８の第３溝部４４ｃ及びスリット部４５に位置し、軸体部１８の挿入空間部４３が第３溝部４４ｃ及びスリット部４５を通じて外部と連通するようにしたので、放電針ユニット４２に作用する空気圧を大幅に低減することができ、放電針ユニット４２の取外し作業を安全に行うことができる。
【００４３】
本発明は、上記実施例に限定されることなく、次のように変形或いは拡張するようにしてもよい。
放電針ユニット４２に装着するＯリング３４を省略し、挿入空間部４３からホルダ３１の外周面を通じて放電針３２の先端近傍に送風するようにしてもよい。
【００４４】
首振りユニット１２の軸体部１８のスリット部４５を省略するようにしてもよい。
放電針ユニット４２が首振りユニット１２から飛び出してしまうことを規制する手段としては、放電針ユニットが空気圧により首振りユニットの軸体部から飛び出してしまうことを防止する構成であれば種々実施可能である。
【図面の簡単な説明】
【００４５】
【図１】本発明の一実施例における空圧部を示す部分横断面図
【図２】除電装置の斜視図
【図３】電極バネの接触状態を示す電極の斜視図
【図４】放電針ユニットの装着状態で示す首振りユニットの軸体部の斜視図
【図５】放電針ユニットの装着状態で示す図４相当図
【図６】対向電極の装着状態で示す首振りユニットの断面図
【図７】対向電極の取外し状態で示す図６相当図
【図８】従来例を示す放電針ユニットの断面斜視図
【符号の説明】
【００４６】
図面中、１は除電装置、１０は空圧部（空気供給手段）、１２は首振りユニット（取付体）、３１はホルダ、３２は放電針、３４はＯリング（気密手段）、３５は対向電極（固定手段）、３９は第１空気供給孔、４２は放電針ユニット、４３は挿入空間部、４４は溝部（規制手段）、４４ａは第１溝部、４４ｂは第２溝部、４４ｃは第３溝部、４７はボス（凸部、規制手段）、４９は摘み部、５０は第２空気供給孔である。
【図１】
2006100248.tif 000003
【図２】
2006100248.tif 000004
【図３】
2006100248.tif 000005
【図４】
2006100248.tif 000006
【図５】
2006100248.tif 000007
【図６】
2006100248.tif 000008
【図７】
2006100248.tif 000009
【図８】
2006100248.tif 000010